(57)【要約】      （修正有）【課題】従来のカバープレートは、他の付加機能を持たずに、格納式トレーをカバーする若しくは開くためにのみ使用され、それ故に、カバープレートの多機能性を制限する。加えて、カバープレートは、容易に操作されず、それ故に、ユーザーに不便をもたらす。【解決手段】マルチメディアプレーヤーは、メインフレーム１と、メインフレーム１に対し回動可能に取付けられ、メインフレーム１に固定され、窓部２１が形成された取付板２０と該取付板に対して回動可能に取付けられたケーシング部３０とを含む回動パネル２と、を有し、ケーシング部３０は、取付板２０に置かれる第一の位置と、取付板の窓部２１を露呈するように取付板から移動させられる第二の位置と、の間で回動可能とされる。ケーシング部３０は、第一の位置から第二の位置に移動させられるときに、自動復元作用を供給するための復元力を蓄える。従って、回動パネル２は、自動的に復元することができる。【選択図】図２
0003103075.tif 000002
【実用新案登録請求の範囲】
【請求項１】
メインフレーム（１）と、該メインフレーム（１）に対し回動可能に取付けられた回動パネル（２）と、を包含し、
前記回動パネル（２）は、前記メインフレーム（１）に固定され、窓部（２１）が形成された取付板（２０）と、前記取付板（２０）に対し回動可能に取付けられ、前記取付板（２０）に置かれる第一の位置と、前記取付板（２０）の前記窓部（２１）を露呈するように取付板（２０）から移動させられる第二の位置と、の間で回動可能とされたケーシング部（３０）とを有し、
前記ケーシング部（３０）は、前記第一の位置から前記第二の位置に移動させられるときに、自動復元作用を供給するための復元力を蓄えること
を特徴とするマルチメディア・プレーヤー。
【請求項２】
前記ケーシング部（３０）は、第一のプレート（３１）と、該第一のプレート（３１）と組み合わされた第二のプレート（３２）と、前記第一のプレート（３１）と前記第二のプレート（３２）との間に搭載された電子装置（３３）とを含み、
該電子装置（３３）は、前記メインフレーム（１）に電気的に接続された回路基板（３３０）と、該回路基板（３３０）に取付けられた表示器（３３１）と、前記回路基板（３３０）に取付けられた２つの調整スイッチ（３３２）と、を含み、
前記ケーシング部（３０）の前記第一のプレート（３１）には窓部（３１０）が形成され、前記表示器（３３１）は、前記第一のプレート（３１）の前記窓部（３１０）と面一とされ、前記第一のプレート（３１）には、前記２つの調整スイッチ（３３２）を搭載するための２つの貫通孔部（３１１）が形成されたこと
を特徴とする請求項１記載のマルチメディア・プレーヤー。
【請求項３】
メインフレーム（１）と、該メインフレーム（１）に対し回動可能に取付けられた回動パネル（２）と、を包含し、
前記回動パネル（２）は、前記メインフレーム（１）に固定され、窓部（２１）が形成された取付板（２０）と、前記取付板（２０）に対し回動可能に取付けられ、前記取付板（２０）に置かれる第一の位置と、前記取付板（２０）の前記窓部（２１）を露呈するように取付板（２０）から移動させられる第二の位置と、の間で回動可能とされたケーシング部（３０）とを有し、
前記ケーシング部（３０）は、第一のプレート（３１）と、該第一のプレート（３１）と組み合わされた第二のプレート（３２）と、前記第一のプレート（３１）と前記第二のプレート（３２）との間に搭載された電子装置（３３）とを含み、前記第一の位置から前記第二の位置に移動させられるときに、自動復元作用を供給するための復元力を蓄え、
前記回動パネル（２）の前記取付板（２０）には、それぞれ取付凹部（２２０）が形成された２つの取付部（２２）が対向して形成され、
前記回動パネル（２）は、さらに、前記取付板（２０）の前記２つの取付部（２２）のそれぞれの一方に固定される、２つの接続部材（２３）を含み、各接続部材（２３）は、固定穴部（２３３）が形成された第一のブロック（２３１）と、該第一のブロック（２３１）と一体形成され、前記２つの取付部（２２）のそれぞれの一方の取付凹部（２２０）に挿入された第二のブロック（２３２）と、をそれぞれ包含し、前記２つの接続部材（２３）における前記第一のブロック（２３１）の前記固定穴部（２３３）の各々は、相互に同軸上にあり、
前記回動パネル（２）は、さらに、それぞれ前記ケーシング部（３０）の前記第一のプレート（３１）と前記２つの接続部材（２３）のそれぞれの一方との間に取付けられ、前記ケーシング部（３０）を元の位置に戻す復元力を供給する２つの復元手段（４）を含むこと
を特徴とするマルチメディア・プレーヤー。
【請求項４】
前記第一のプレート（３１）には、それぞれ複数の固定凹部（３１２０）が形成された２つの固定部（３１２）が、反対側位置に形成され、
また、前記２つの復元手段（４）の各々は、前記２つの接続部材（２３）のそれぞれの１つに固定された軸部材（４１）と、前記第一のプレート（３１）の前記２つの固定部３１２のそれぞれの１つに固定され、前記軸部材（４１）に対して回動可能に取付けられた回動容器（４０）と、前記軸部材（４１）の内部に取付けられ、前記回動容器（４０）と前記軸部材（４１）との間で作用する弾性部材（４２）と、を含み、
前記軸部材（４１）は、前記回動容器（４０）から外方に突出され、前記２つの接続部材（２３）のそれぞれの１方にある固定穴部（２３３）に固定されたプラグ（４１５）により形成された先端部を有し、
前記回動容器（４０）は、前記第一のプレート（３１）における各固定部の前記固定凹部（３１２０）のそれぞれの１つに固定された固定ブロック（４０１）が複数形成された外面を有し、
前記軸部材（４１）は、前記弾性部材（４２）を収容するための室部（４１０）が形成された内面と、それぞれ前記室部（４１０）に連絡された複数の貫通孔部（４１１）が形成された外面と、を有すること
を特徴とする請求項３記載のマルチメディア・プレーヤー。
【請求項５】
前記回動容器（４０）には、前記軸部材（４１）を収容するための開口部（４０３）が形成され、
前記軸部材（４１）の前記室部（４１０）は、固定溝部（４１２）が形成された端面部を有し、
前記回動容器（４０）の前記開口部（４０３）は、固定溝部（４０５）の形成された固定スタッド（４０４）が形成された端面部を有し、
前記弾性部材（４２）は、前記軸部材（４１）の前記固定溝部（４１２）内に固定された第一の端部と、前記回動容器（４０）の前記固定溝部（４０５）内に固定された第二の端部と、を有し、
前記２つの復元手段（４）の各々は、さらに、前記回動容器（４０）と前記軸部材（４１）との間に組み込まれた粘性体（４４）と、前記軸部材（４１）の前記プラグ（４１５）の通過用の貫通孔部（４３０）が形成され、前記回動容器（４０）の前記開口部（４０３）に固定され、前記回動容器４０と共に回動する蓋部（４３）と、前記粘性体（４４）を密封するように前記回動容器（４０）と前記軸部材（４１）との間で作用するＯリング（４５）と、を含み、
前記蓋部（４３）は、２つの位置決めブロック（４３１）が反対側位置に形成された内壁を有し、前記軸部材（４１）は、前記蓋部（４３）の前記位置決めブロック（４３１）の動きを停止させて、前記回動容器（４０）の過度の回動により弾性部材４２が過度に変形させられるのを防止する、２つの係止ブロック（４１３）が反対側位置に形成された外面を有すること
を特徴とする請求項４記載のマルチメディア・プレーヤー。
【考案の詳細な説明】
【技術分野】
【０００１】
本実用新案は、自動的に復元することができる回動可能なパネルを有するマルチメディア・プレーヤーに関する。
【考案の開示】
【考案が解決しようとする課題】
【０００２】
ＶＣＤやＤＶＤプレーヤーのような、コンピュータに搭載された従来のマルチメディア・プレーヤーは、メインフレームと、ＶＣＤやＤＶＤのようなポータブルな記憶メディアを運ぶために該メインフレームの中で移動可能に搭載された格納式トレーと、該格納式トレーをカバーする若しくは開くために、メインフレームに対して枢軸上に置かれたカバープレートと、を含んでいる。しかしながら、カバープレートは、他の付加機能を持たずに、格納式トレーをカバーする若しくは開くためにのみ使用され、それ故に、カバープレートの多機能性を制限する。加えて、カバープレートは、容易に操作されず、それ故に、ユーザーに不便をもたらす。
【考案を実施するための最良の形態】
【０００３】
本実用新案は、図面と共に記載された下記の詳細な説明を参照することによって明確に理解されるであろう。
【０００４】
各図面及び初めに図１乃至図５に参照されるように、マルチメディア・プレーヤーは、例えばＶＣＤかＤＶＤプレーヤーであり、本実用新案の好ましい実施態様に従って、メインフレーム１、およびメインフレーム１に対し回動可能に取付けられた回動パネル２を含む。メインフレーム１は、ＶＣＤやＤＶＤのようなポータブルな記憶メディアを運ぶための格納式の受け部１０を備えている。好ましくは、メインフレーム１の受け部１０は、格納式のトレーである。回動パネル２は、メインフレーム１に固定された取付板２０と、取付板２０に対して回動可能に取付けられたケーシング部３０と、を有している。
【０００５】
取付板２０には、受け部１０の通過のために、メインフレーム１の受け部１０と対応して位置する窓部２１が形成される。ケーシング部３０は、第一のプレート３１と、第一のプレート３１と組み合わされた第二のプレート３２と、第一のプレート３１と第二のプレート３２との間に搭載された電子装置３３と、を含んでいる。ケーシング部３０の第一のプレート３１には、窓部３１０が形成される。電子装置３３は、回路基板３３０と、表示器３３１と、２つの調整スイッチ３３２と、を含んでいる。
【０００６】
回路基板３３０は、メインフレーム１に電気的に接続され、マルチメディア・プレーヤーの動作を制御する。表示器３３１は、回路基板３３０に取付けられ、第一のプレート３１の窓部３１０と面一とされる。表示器３３１は、好ましくは、マルチメディア・プレーヤーの作動状態を示す液晶表示ディスプレイ（ＬＣＤ）である。第一のプレート３１は、２つの調整スイッチ３３２を搭載するために、２つの貫通孔部３１１が形成される。２つの調整スイッチ３３２の各々は、回路基板３３０に取付けられる。２つの調整スイッチ３３２は、好ましくは、マルチメディア・プレーヤーの再生機能をコントロールする音量調節ボタン及び周波数変調ボタンである。
【０００７】
ケーシング部３０は、図１に示すように、ケーシング部３０の第二のプレート３２が取付板２０上に堅く安定して置かれる第一の位置と、図２に示すように、ケーシング部３０の第二のプレート３２が取付板２０の窓部２１を全て露呈するように取付板２０から移動させられる第二の位置と、の間で回動可能とされる。要するに、ケーシング部３０は、マルチメディア・プレーヤーの作動状態を表示することができ、さらにマルチメディア・プレーヤーの再生機能をコントロールすることができる操作パネルを形成する。さらに、ケーシング部３０は、メインフレーム１の受け部１０を保護する又は受け部１０から遠ざける、回動機能を有している。
【０００８】
取付板２０には、それぞれ取付凹部２２０が形成された２つの取付部２２が、対向して形成される。回動パネル２は、さらに、取付板２０の２つの取付部２２のそれぞれの一方に固定される、２つの接続部材２３を含んでいる。各接続部材２３は、固定穴部２３３が形成された第一のブロック２３１と、該第一のブロック２３１と一体形成され、２つの取付部２２のそれぞれの一方の取付凹部２２０に挿入された第二のブロック２３２と、を含む。２つの接続部材２３における第一のブロック２３１の固定穴部２３３の各々は、相互に同軸上にある。回動パネル２は、さらに、それぞれケーシング部３０の第一のプレート３１と２つの接続部材２３のそれぞれの一方との間に搭載され、ケーシング部３０を元の位置に戻す復元力を供給する２つの復元装置４を含む。
【０００９】
第一のプレート３１には、それぞれ複数の固定凹部３１２０が形成された２つの固定部３１２が、反対側位置に形成される。２つの復元装置４の各々は、２つの接続部材２３のそれぞれの１つに固定された軸部材４１と、前記第一のプレート３１の２つの固定部３１２のそれぞれの１つに固定され、軸部材４１に対して回動可能に取付けられた回動容器４０と、軸部材４１の内部に取付けられ、回動容器４０と軸部材４１との間で作用する弾性部材４２と、を含む。軸部材４１は、回動容器４０から外方に突出され、２つの接続部材２３のそれぞれの１つにある固定穴部２３３に固定されたプラグ４１５により形成された先端部を有する。この軸部材４１は、弾性部材４２を収容するための室部４１０が形成された内面と、それぞれ室部４１０に連絡された複数の貫通孔部４１１が形成された外面と、を有している。
【００１０】
回動容器４０は、第一のプレート３１における各固定部３１２の固定凹部３１２０のそれぞれの１つに固定された固定ブロック４０１が複数形成された外面を有する。この回動容器４０には、軸部材４１を収容するための開口部４０３が形成される。軸部材４１の室部４１０は、固定溝部４１２が形成された端面部を有する（図５参照）。回動容器４０の開口部４０３は、固定溝部４０５の形成された固定スタッド４０４が形成された端面部４０２を有する。弾性部材４２は、軸部材４１の固定溝部４１２内に固定された第一の端部と、回動容器４０の固定溝部４０５内に固定された第二の端部と、を有する。
【００１１】
２つの復元装置４の各々は、さらに、回動容器４０と軸部材４１との間に組み込まれた粘性体４４と、軸部材４１のプラグ４１５の通過用の貫通孔部４３０が形成され、回動容器４０の開口部４０３に固定され、回動容器４０と共に回動する蓋部４３と、粘性体４４を密封するように回動容器４０と軸部材４１との間で作用するＯリング４５と、を含む。好ましくは、粘性体４４は、回動容器４０及び軸部材４１間に減衰効果を供給する、グリスのような油である。蓋部４３は、２つの位置決めブロック４３１が反対側位置に形成された内壁を有し、軸部材４１は、２つの係止ブロック４１３が反対側位置に形成された外面を有し、これにより、蓋部４３の位置決めブロック４３１の動きを停止させて、回動容器４０の過度の回動により弾性部材４２が過度に曲げられる又は変形させられることが防止される。
【００１２】
動作時において、ケーシング部３０が取付板２０に対して回動するときには、回動容器４０が軸部材４１を中心に図５に示す位置から図６に示す位置まで回転させられ、その結果、弾性部材４２は、ケーシング部３０の移動の間に曲げられて、復元力を蓄積する。図１乃至図６を参照して、図７乃至図９に示すように、ケーシング部３０が図７に示す第一の位置に位置する場合には、ケーシング部３０の第二のプレート３２は、図１に示すように、取付板２０に堅く安定して置かれる。
【００１３】
ケーシング部３０が図９に示す第二の位置へ移動するように取付板２０に対して外部に移動されるときには、ケーシング部３０の第二のプレート３２は、取付板２０の窓部２１を全て露呈するように取付板２０から移動させられ、その結果、メインフレーム１の受け部１０は、図２及び図９に示すように、窓部２１から外部に移動させられる。このときに、弾性部材４２は、ケーシング部３０の移動中に曲げられて、復元力を蓄積する。したがって、メインフレーム１の受け部１０が取付板２０の窓部２１に引き込まれるときには、ケーシング部３０は、弾性部材４２の復元力によって取付板２０の方へ移動される。その結果、ケーシング部３０は、図９に示す第二の位置から図７に示す第一の位置に移動され、元の位置に戻る。
【図面の簡単な説明】
【００１４】
【図１】本実用新案の好ましい実施の形態に基づくマルチメディア・プレーヤーの一部切り欠き斜視図である。
【図２】図１に示すマルチメディア・プレーヤーの操作中の概略図である。
【図３】図１に示すマルチメディア・プレーヤーの分解斜視図である。
【図４】本実用新案の好ましい実施の形態に基づくマルチメディア・プレーヤーの復元装置の分解斜視図である。
【図５】図１に示すマルチメディア・プレーヤーの正面の一部断面図である。
【図６】図５に示すマルチメディア・プレーヤーの操作中の概略図である。
【図７】図１に示すマルチメディア・プレーヤーの一部側面図である。
【図８】図７に示すマルチメディア・プレーヤーの操作中の概略図である。
【図９】図８に示すマルチメディア・プレーヤーの操作中の概略図である。
【図１】
0003103075.tif 000003
【図２】
0003103075.tif 000004
【図３】
0003103075.tif 000005
【図４】
0003103075.tif 000006
【図５】
0003103075.tif 000007
【図６】
0003103075.tif 000008
【図７】
0003103075.tif 000009
【図８】
0003103075.tif 000010
【図９】
0003103075.tif 000011